(57)【要約】  風力発電所は、シャフトが支持されているサポートフレームと、シャフトに支持されたブレードシステムと、を備えている。シャフトは、鉛直軸の周囲で回転することができて、且つ発電機に機能的に接続されている。サポートフレームは、少なくとも３つの放射状に位置された構造の間に支持されることができるように設計されている。前記ブレードシステムのブレードは、２０〜１０００ｍ２である。この風力発電所は、前記シャフトに積み重ねて位置された付加的なブレードシステムを備えている。サポートフレームが３つの放射状に位置された構造の間に支持されているので、構造の堅牢性及び耐久性が増す。
2021500500.tif 000002
【特許請求の範囲】
【請求項１】
鉛直軸の周囲で回転することができて且つ発電機に機能的に接続されているシャフトが支持されている少なくとも一つのサポートフレームを備え、前記シャフトにブレードシステムが支持されていて、前記サポートフレームが少なくとも３つの放射状に位置された構造の間に支持されることができるように設計されている、風力発電所。
【請求項２】
前記ブレードシステムの一つのブレードが２０〜１０００ｍ２である、請求項１に記載の風力発電所。
【請求項３】
前記シャフトに積み重ねて位置された付加的なブレードシステムを備える、請求項１に記載の風力発電所。
【発明の詳細な説明】
【技術分野】
【０００１】
この技術は風力産業に関しており、風の動きのエネルギーをブレード配列の回転の機械エネルギーに変換し、引き続いて電力の変換するように設計されている。
【背景技術】
【０００２】
「風力発電所」は従来技術で知られており、ハウジングと、ハウジング内に支持されて鉛直軸の周囲で自由に回転できる動作シャフトと、シャフトに支持されて平坦化されたコーンのような形状をしたウインドホイールと、を含み、ブレードがコーン線に沿って支持されている。ハウジングは、サポート及び底板を含む。２０１５年９月２０日に発行されたロシア連邦実用新案Ｎｏ．１５５１４７，ＩＰＣ  Ｆ０３Ｄ  ３／０６，  Ｆ０３Ｄ  １１／００を参照。
【先行技術文献】
【特許文献】
【０００３】
【特許文献１】ロシア連邦実用新案第１５５１４７号公報
【特許文献２】ロシア連邦特許第２５０８４７０号公報
【発明の概要】
【発明が解決しようとする課題】
【０００４】
既知の解決策及び特許請求されている解決策の共通の特徴は、以下のものである：
フレーム、
フレームに支持されて鉛直軸の周囲で自由に回転でき、発電機に機能的に接続されているシャフト、
シャフトに支持されたウインドホイール。
【０００５】
既知の解決策及び特許請求されている解決策の示差的な特徴は、以下のものである：
フレームが３つの放射状に位置された構造の間に支持されることができる。
【０００６】
既知の技術の弱点は、風力発電所の容量の低さである。これは、示唆されているハウジングの構造、ならびにシャフトと風車との支持方法を変えたものが、大きな表面積のブレードを用いたブレード配列の使用に対して、十分な構造の堅牢さ及び発電所の安定性を保証しないことによる。
【０００７】
「シロタの風力タワー」が従来技術から知られており、これは、最も近い従来技術として選択されている。この風力タワーは、いくつかの鉛直タワーによって囲まれたサポートフレームと、鉛直軸の周囲で回転できるように支持されたリング形状のプラットフォームと、そのリング形状のプラットフォームに支持されたブレードと、を含む。リング形状のプラットフォームは、サポートフレームの上方部分に位置されている。２０１４年２月２７日に発行されたロシア連邦特許Ｎｏ．２５０８４７０，ＩＰＣ  Ｆ０３Ｄ  ３／００，  Ｆ０３Ｄ  １１／０４を参照。
【０００８】
既知の解決策及び特許請求されている解決策の共通の特徴は、以下のものである：
フレーム、
鉛直軸の周囲で自由に回転でき、発電機に機能的に接続されているシャフト、
リング形状のプラットフォームに支持されたブレード。
【０００９】
既知の解決策及び特許請求されている解決策の示差的な特徴は、以下のものである：
フレームが、３つの放射状に位置された構造の間に支持されることができる。
【００１０】
この技術の欠点は、風力発電所の構造における材料消費の高さである。なぜなら、風のエネルギーのポテンシャルが最も効率的で且つ非常に低い振動でほとんど永久的な動作に近くなる構造の高さに達するために、この構造はほぼ２００メートルの高さであるべきだからである。同時に、リング形状のプラットフォームの回転周波数は、風力発電所の全体構造における振動負荷を除外するために、低減されなければならない。
【課題を解決するための手段】
【００１１】
特許請求されている解決策の目的は、既知の技術の弱点を克服して、高効率及び高信頼性の風力発電所を創り出すことである。
【００１２】
特許請求されている解決策の効果は、風力発電所の効率改善である。
【００１３】
特許請求されている効果は、鉛直軸の周囲で回転することができて且つ発電機に機能的に接続されているシャフトが支持されている少なくとも一つのサポートフレームを備え、そのシャフトにブレード配列が支持されている風力発電所の構造において、サポートフレームが少なくとも３つの放射状に位置された構造の間に支持されているために、達成される。ブレードシステムの一つのブレードの表面積は、２０〜１０００ｍ２の範囲内であることができる。この風力発電所は、シャフトに積み重ねて位置された付加的なブレードシステムを有することができる。ブレードシステムのブレードは、例えば、帆の形態の形状にされることができる。
【００１４】
サポートフレームに支持された回転可能な風力発電所シャフトは、任意の既知の技術的方法によって発電機に機能的に接続されており、ブレードシステムのブレードへの風のインパクトによって生成された回転を発電機の回転の機械的エネルギーに送達し、引き続いて電力に変換する。発電機は、回転するシャフトに直接的に接続されていても分離されていても、どちらも可能であるが、回転伝達の任意の既知のモードが利用されることができる。シャフトはフレームに任意の既知の手段で、例えば２点で、すなわちサポートフレームの頂部及び底部で、支持されることができる。
【００１５】
サポートフレームが少なくとも３つの放射状に位置された構造の間に位置されて、シャフトがサポートフレームに支持されていることは、全体構造の安定性及び信頼性を保証する。これは、より大きなパラメータを持つブレードシステムの利用を可能にし、例えば、一つのブレードの表面は２０〜１０００ｍ２であることができ、風力発電所の構造に対する振動負荷を低減し且つその効率及び容量を増すことができる。
【００１６】
その他に、サポートフレームを少なくとも３つの放射状に位置された構造の間に位置することは、３つの放射状に位置された構造によって形成される空気の回廊が、風の流れが永久的なアクションを有さないような高さに位置されているとしても、どんな風向でもより強い風の流れをもたらしてブレードシステムにインパクトを与えるので、風力発電所の効率の増加を導く。
【００１７】
特許請求されている解決策のより良い理解を確実なものにするために、放射状に位置された構造がシャフトの回転軸に対して半径方向に位置された構造であって、全ての構造が回転軸から同じ距離に位置されるときに、そのような位置の変更によって制約されないことが、言及されるべきである。この構造は、シャフトの回転軸から異なる距離に位置されることができる。
【００１８】
計算及び数学モデルが、建造物の最適高さが５〜８００ｍであるべきであり、第１のブレードシステムが５〜１５ｍの高さに支持されるべきであると示している。ブレードシステムは、ロータ上に積み重ねて位置されることができる。そのような配置の場合には、建造物の異なる高さに対してブレードのパラメータ及び数が別個に計算されるべきである。
【００１９】
鉛直軸を有するブレードシステムの使用は、風向が変化する場合において、任意の風向変化でそのようなブレードシステムの配置が等しく良好にその運動エネルギーを受ける一方で、このシステムが支持されているサポートフレーム（風力発電所の全体構造と同じ）が風の流れから受ける負荷が弱いので、風力発電所の効率及びその信頼性を増す。
【００２０】
風力発電所は、空気の流れをブレードに向け直すことができるフェアリングを備えることができ、これにより、風力発電所の効率を増す。フェアリングは、サポートフレームに支持されることができる。
【図面の簡単な説明】
【００２１】
本開示が、図面に描写された例示的な実施形態を参照して、以下に説明される。
【図１】上面図である。
【図２】横からの側面図である。
【００２２】
図１及び図２において、以下の番号が各位置に適用される：１  サポートフレーム、２  シャフト、３  ブレードシステム、４  フェアリング。
【発明を実施するための形態】
【００２３】
特許請求されている解決策は、以下のように使用される。
【００２４】
３つの構造は任意の既知の方法で建てられる。これらの３つの構造は、風の流れがそれらの周囲を滑らかに流れることができるように、そのような形状に設計された３つの多層階の建造物であることができる。構造は、お互いから同じ距離に、及びそれらの間に風力発電所のためのいくらかの空間が形成されるように異なる距離に、の両方で位置されることができる。さらに、サポートフレーム（１）は、構造のベースフレームに、前もって計算された高さにおける３点で堅牢に支持される。例えば、八段の建造物に対して、最も下方のブレードシステムは８メートルの高さに支持されることができる。さらに、鉛直回転軸を有するシャフト（２）は、サポートフレーム（１）に支持され、且つ発電機に機能的に接続される。シャフト（２）には、ブレードシステム（３）が位置される。ブレードの特性および数は、そのエリアの風の特性、パワー要求、建造物の高さなどに基づいて、計算されることになる。３つの構造によって形成される空気の回廊は、任意の風向において、風の流れを強める。流線型の要素に接触することで、これらの空気流はブレードシステム（３）が位置されている中央部に向けられ、ブレードシステムは風の動きのエネルギーを吸収し、回転してその動きをシャフト（２）に及び発電機に伝達し、回転エネルギーが電力に変換される。数学的な計算によれば、八段の建造物の間でサポートフレームに支持されたシャフトに積み重ねて位置された７〜８個のブレードシステムを有するこの風力発電所は、各ブレードシステムによって少なくとも７．５ＭＷを生成して、３つの八段の建造物のパワーエネルギーにおける需要をカバーすることができる。パワー蓄積器が発電機に接続されることができる。次に、風力発電所は、到来する空気流をブレードに向け直すことができるフェアリング（４）を備えることができる。
【００２５】
提示された本構造の図面及び記述は、可能な設計オプションを制限するものではなく、特許請求される技術の範囲を何からの手段で制限するものではない。特許請求項の範囲内の代替的な設計が可能である。
【図１】
2021500500.tif 000003
【図２】
2021500500.tif 000004
【国際調査報告】
2021500500.tif 000005
2021500500.tif 000006